(57)【要約】【目的】複数の表示パネルドライバに対して迅速に、仕様に合わせた設定を行うことが可能な表示パネルドライバの設定方法、表示パネルドライバ及びこれを含む表示装置を提供することを目的とする。【構成】複数の表示パネルドライバを仕様に合わせた状態に設定するにあたり、その設定内容を示す設定データをメモリに格納しておく。そして、複数の表示パネルドライバの内の１の表示パネルドライバが、上記設定データが読み出し状態となったことを示す第１信号を上記メモリと共に他の表示パネルドライバに供給する。かかる第１信号に応じて、メモリは、設定データを第１ライン上に読み出す。この際、上記１の表示パネルドライバは、この第１ライン上に読み出された設定データを取り込んで当該設定データに基づく設定を行う。一方、他の表示パネルドライバは、かかる第１信号に応じて、上記第１ライン上から設定データを取り込んで当該設定データに基づく設定を行う。【選択図】図７
2014085630.tif 000002
【特許請求の範囲】
【請求項１】
映像信号に応じた画像を表示する表示パネルを駆動する複数の表示パネルドライバを、メモリに格納された設定データに基づいて仕様に合わせた設定とする表示パネルドライバの設定方法であって、
前記表示パネルドライバ各々の内の１の表示パネルドライバが、前記設定データの読み出し状態となったこと示す第１信号を前記メモリ及び前記１の表示パネルドライバを除く他の表示パネルドライバに供給すると共に、前記メモリから第１ライン上に読み出された前記設定データを取り込んで当該設定データに基づく設定を行うステップと、
前記他の表示パネルドライバが、前記１の表示パネルドライバから供給された前記第１信号に応じて前記第１ライン上から前記設定データを取り込んで当該設定データに基づく設定を行うステップと、を有することを特徴とする表示パネルドライバの設定方法。
【請求項２】
前記第１信号は、チップセレクト信号であることを特徴とする請求項１に記載の表示パネルドライバの設定方法。
【請求項３】
前記第１信号は、メモリアクセス信号であることを特徴とする請求項１に記載の表示パネルドライバの設定方法。
【請求項４】
前記設定を、電源立上後の所定期間に実施することを特徴とする請求項１〜３のいずれか１に記載の表示パネルのドライバの設定方法。
【請求項５】
前記設定を、電源立上後、定期的に実施することを特徴とする請求項１〜３のいずれか１に記載の表示パネルのドライバの設定方法。
【請求項６】
前記メモリ、前記１の表示パネルドライバ及び前記他の表示パネルドライバは前記第１ラインに夫々接続されていることを特徴とする請求項３に記載の表示パネルドライバの設定方法。
【請求項７】
前記メモリ、前記１の表示パネルドライバ及び前記他の表示パネルドライバは、更に前記第１ラインとは異なる第２ラインに夫々接続されており、
前記１の表示パネルドライバは、前記メモリアクセス信号を前記第２ラインによって前記メモリ及び前記他の表示パネルドライバに供給することを特徴とする請求項３又は６のいずれか１に記載の表示パネルドライバの設定方法。
【請求項８】
メモリに記憶されている設定データに応じて設定が為される表示パネルドライバであって、
前記設定データを読み出すべき状態となったことを示す第１信号を双方向端子を介して出力する第１回路と、
前記第１信号、又は前記双方向端子を介して外部から入力された第１信号に応じて取込イネーブル信号を生成する取込制御回路と、
前記メモリから読み出された前記設定データを前記取込イネーブル信号に応じて取り込むレジスタと、を有することを特徴とする表示パネルドライバ。
【請求項９】
前記第１信号はチップセレクト信号であり、
前記第１回路は、前記チップセレクト信号を生成するチップセレクト生成回路であることを特徴とする請求項８に記載の表示パネルドライバ。
【請求項１０】
前記第１信号はメモリアクセス信号であり、
前記第１回路は、前記メモリアクセス信号を生成するメモリ制御回路であることを特徴とする請求項８に記載の表示パネルドライバ。
【請求項１１】
前記メモリ制御回路は、外部供給されたマスタスレイブ指定信号がマスタ側を示す場合には前記メモリアクセス信号を双方向端子を介して出力する一方、前記マスタスレイブ指定信号がスレイブ側を示す場合には前記メモリアクセ信号を生成することなく前記双方向端子を入力端子として動作させる状態に設定することを特徴とする請求項１０に記載の表示パネルドライバ。
【請求項１２】
前記メモリ制御回路は、前記メモリに対して前記設定データの書き込みを行う場合には書込命令を示すメモリアクセス信号を生成し、
前記取込制御回路は、前記メモリ制御回路が前記書込命令を示すメモリアクセス信号を生成した場合、又は前記双方向端子を介して外部から入力された前記メモリアクセス信号が前記書込命令を示す場合には前記取込イネーブル信号の生成を停止することを特徴とする請求項１０又は１１に記載の表示パネルドライバ。
【請求項１３】
前記メモリ制御回路は、外部供給されたマスタスレイブ指定信号がマスタ側を示す場合に限り所定のタイミングで前記メモリアクセス信号の生成を行うことを特徴とする請求項１０〜１２のいずれか１に記載の表示パネルドライバ。
【請求項１４】
映像信号に応じた画像を表示する表示パネルと、前記表示パネルを駆動する第１表示パネルドライバ及び第２表示パネルドライバと、設定データが記憶されているメモリと、を有する表示装置であって、
前記第１表示パネルドライバは、前記設定データを読み出すべき状態となったことを示す第１信号を第１双方向端子を介して出力する第１回路と、前記第１信号に応じて取込イネーブル信号を生成する第１取込制御回路と、前記メモリから読み出された前記設定データを入力端子を介して受けこれを前記取込イネーブル信号に応じて取り込む第１レジスタと、を有し、
前記第２表示パネルドライバは、前記第１双方向端子を介して外部から第２双方向端子に入力された前記第１信号に応じて取込イネーブル信号を生成する第２取込制御回路と、前記メモリから読み出された前記設定データを入力端子を介して受けこれを前記取込イネーブル信号に応じて取り込む第２レジスタと、を有し、
前記メモリの出力端子が第１ラインによって前記第１及び第２表示パネルドライバの前記入力端子に接続されており、前記第１及び第２表示パネルドライバ各々の前記第１及び第２双方向端子及び前記メモリが第２ラインによって接続されていることを特徴とする表示装置。
【請求項１５】
前記第１信号はチップセレクト信号であり、
前記第１回路は、前記チップセレクト信号を生成するチップセレクト生成回路であることを特徴とする請求項１４に記載の表示装置。
【請求項１６】
前記第１信号はメモリアクセス信号であり、
前記第１回路は、前記メモリアクセス信号を生成するメモリ制御回路であることを特徴とする請求項１４に記載の表示装置。
【請求項１７】
前記メモリ制御回路は、外部供給されたマスタスレイブ指定信号がマスタ側を示す場合には前記メモリアクセス信号を双方向端子を介して出力する一方、前記マスタスレイブ指定信号がスレイブ側を示す場合には前記メモリアクセ信号を生成することなく前記双方向端子を入力状態に設定することを特徴とする請求項１６に記載の表示装置。
【請求項１８】
前記第１及び第２表示パネルドライバ各々の内の１の表示パネルドライバにはマスタ側を示す前記マスタスレイブ指定信号が外部供給されており、前記１の表示パネルドライバを除く他の表示パネルドライバ各々にはスレイブ側を示す前記マスタスレイブ指定信号が外部供給されていることを特徴とする請求項１７に記載の表示装置。
【請求項１９】
前記１の表示パネルドライバの前記メモリ制御回路は、前記メモリに対して前記設定データの書き込みを行う場合には書込命令を示すメモリアクセス信号を生成し、
前記取込制御回路は、前記メモリ制御回路が前記書込命令を示すメモリアクセス信号を生成した場合、又は前記双方向端子を介して外部から入力された前記メモリアクセス信号が前記書込命令を示す場合には前記取込イネーブル信号の生成を停止することを特徴とする請求項１８に記載の表示装置。
【請求項２０】
前記１の表示パネルドライバの前記メモリ制御回路は、電源投入後の所定のタイミングで前記メモリアクセス信号の生成を行うことを特徴とする請求項１６〜１９のいずれか１に記載の表示装置。
【発明の詳細な説明】
【技術分野】
【０００１】
本発明は、映像信号に応じて複数の表示パネルドライバで表示パネルを駆動する際の表示パネルドライバの設定方法、及びこの表示パネルドライバ、並びに複数の表示パネルドライバを含む表示装置に関する。
【背景技術】
【０００２】
プラズマディスプレイパネル、液晶パネル、有機ＥＬ（Electro Luminescence)パネル等の表示パネルには、映像信号に応じた階調電圧を表示パネルに形成されている複数のソースラインに供給する複数のソースドライバが設けられている。
【０００３】
この際、表示パネルの駆動方法に対応させて各ソースドライバの駆動方法が決定することから、ソースドライバ等の機能の動作タイミング等を制御するタイミングコントーラを別に設けることが一般的である。
【０００４】
そこで、これら表示パネル及び複数のソースドライバからなるシステムの仕様に合わせてタイミングコントローラに設定すべきシステムインタフェース情報が記憶されているＥＥＰＲＯＭ（Electrically Erasable Programmable Read-Only Memory）を搭載した表示パネルが提案されている（例えば、特許文献１の図１参照）。
【０００５】
当該タイミングコントローラ及びＥＥＰＲＯＭ間の通信は、１対１の関係であれば直接通信用の経路を設けることで対応可能となる。そこで、ソースドライバとタイミングコントローラを一体形成する集積回路が開発されつつある（特許文献２参照）。かかる集積回路では、タイミングコントローラを内蔵したソースドライバ毎にＥＥＰＲＯＭからの設定が必要であり、夫々のソースドライバとＥＥＰＲＯＭ間で専用線を用意して通信を行うか、又は共通の通信線を用いてタイミングを異ならせて設定することが必要となる。
【０００６】
そこで、各ソースドライバとＥＥＰＲＯＭ間の通信を簡略化させる方式として、ソースドライバ間で通信させる技術も考案されている（特許文献３の図１参照）。
【０００７】
この表示パネルでは、ソースドライバ６各々の内の１つのソースドライバ６ａだけが上記ＥＥＰＲＯＭ２１に接続されており、このソースドライバ６ａが基点となって、ＥＥＰＲＯＭ２１から読み出されたシステムインタフェース情報を取り込む。そして、ソースドライバ６ａは、かかるシステムインタフェース情報に基づいて自身の設定を行いつつ、このシステムインタフェース情報を、第１のＩＴＯ(Indium Tin Oxide) 配線パターン１２を介してカスケード接続されている他のソースドライバ６に中継供給する。この際、他のソースドライバ６は、第１のＩＴＯ配線パターン１２を介して供給されたシステムインタフェース情報に基づいて自身の設定を行いつつ、このシステムインタフェース情報を第２のＩＴＯ配線パターン１２を介してカスケード接続されている更に他のソースドライバ６に中継供給する。かかる構成により、ＥＥＰＲＯＭ２１から読み出されたシステムインタフェース情報は、基点となるソースドライバ６ａを介して他のソースドライバ６にも供給され、このソースドライバ６内でもシステムインタフェース情報に基づく設定が為される。
【０００８】
このように、上記した表示パネルでは、ＥＥＰＲＯＭから読み出した設定用情報を一旦、基点となるソースドライバに取り込み、これをカスケード接続された配線を介して他のソースドライバに中継供給するようにしている。従って、直列にカスケード接続されているソースドライバの段数が多くなるほど、全てのソースドライバに設定用の情報が供給されるまでに費やされる時間が長くなる。よって、設定処理を開始させてから実際の表示動作に移行するまでの待機時間が長くなるという問題があった。
【先行技術文献】
【特許文献】
【０００９】
【特許文献１】特開２００７−０７９０７７号公報
【特許文献２】特開２０１０−１９０９３２号公報
【特許文献３】特開２００９−３２７１４号公報
【発明の概要】
【発明が解決しようとする課題】
【００１０】
本発明は、かかる問題を解消すべく為されたものであり、複数の表示パネルドライバに対して迅速に、仕様に合わせた設定を行うことが可能な表示パネルドライバの設定方法、表示パネルドライバ及びこれを含む表示装置を提供することを目的とする。
【課題を解決するための手段】
【００１１】
本発明に係る表示パネルドライバの初期設定方法は、映像信号に応じた画像を表示する表示パネルを駆動する複数の表示パネルドライバを、メモリに格納された設定データに基づいて仕様に合わせた設定とする表示パネルドライバの設定方法であって、前記表示パネルドライバ各々の内の１の表示パネルドライバが、前記設定データの読み出し状態となったこと示す第１信号を前記メモリ及び前記１の表示パネルドライバを除く他の表示パネルドライバに供給すると共に、前記メモリから第１ライン上に読み出された前記設定データを取り込んで当該設定データに基づく設定を行うステップと、前記他の表示パネルドライバが、前記１の表示パネルドライバから供給された前記第１信号に応じて前記第１ライン上から前記設定データを取り込んで当該設定データに基づく設定を行うステップと、を有する。
【００１２】
また、本発明に係る表示パネルドライバは、メモリに記憶されている設定データに応じて設定が為される表示パネルドライバであって、前記設定データを読み出すべき状態となったことを示す第１信号を双方向端子を介して出力する第１回路と、前記第１信号、又は前記双方向端子を介して外部から入力された第１信号に応じて取込イネーブル信号を生成する取込制御回路と、前記メモリから読み出された前記設定データを前記取込イネーブル信号に応じて取り込むレジスタと、を有する。
【００１３】
また、本発明に係る表示装置は、映像信号に応じた画像を表示する表示パネルと、前記表示パネルを駆動する第１表示パネルドライバ及び第２表示パネルドライバと、設定データが記憶されているメモリと、を有する表示装置であって、前記第１表示パネルドライバは、前記設定データを読み出すべき状態となったことを示す第１信号を第１双方向端子を介して出力する第１回路と、前記第１信号に応じて取込イネーブル信号を生成する第１取込制御回路と、前記メモリから読み出された前記設定データを入力端子を介して受けこれを前記取込イネーブル信号に応じて取り込む第１レジスタと、を有し、前記第２表示パネルドライバは、前記第１双方向端子を介して外部から第２双方向端子に入力された前記第１信号に応じて取込イネーブル信号を生成する第２取込制御回路と、前記メモリから読み出された前記設定データを入力端子を介して受けこれを前記取込イネーブル信号に応じて取り込む第２レジスタと、を有し、前記メモリの出力端子が第１ラインによって前記第１及び第２表示パネルドライバの前記入力端子に接続されており、前記第１及び第２表示パネルドライバ各々の前記第１及び第２双方向端子及び前記メモリが第２ラインによって接続されている。
【発明の効果】
【００１４】
本発明においては、表示パネルを駆動する複数の表示パネルドライバを仕様に合わせた状態に設定するにあたり、その設定内容を示す設定データをメモリに格納しておく。そして、複数の表示パネルドライバの内の１の表示パネルドライバが、上記設定データが読み出し状態となったことを示す第１信号を上記メモリと共に他の表示パネルドライバに供給する。かかる第１信号に応じて、メモリは、設定データを第１ライン上に読み出す。この際、上記１の表示パネルドライバは、この第１ライン上に読み出された設定データを取り込んで当該設定データに基づく設定を行う。一方、他の表示パネルドライバは、上記１の表示パネルドライバから供給された第１信号に応じて、上記第１ライン上から設定データを取り込んで当該設定データに基づく設定を行う。
【００１５】
かかる構成によれば、上記１の表示パネルドライバから発せられた第１信号に応じて、上記メモリから第１ライン上に設定データが読み出されると共に、この第１ライン上に読み出された設定データが、上記１の表示パネルドライバ及び他の表示パネルドライバに同時に取り込まれる。従って、メモリから読み出された設定データを、カスケード配線を介して複数の表示パネルドライバの各々に順に中継させて行くものに比して、迅速に設定動作を終了させることが可能となる。
【図面の簡単な説明】
【００１６】
【図１】本発明に係る表示装置の概略構成を示すブロック図である。
【図２】本発明に係る表示パネルドライバとしてのソースドライバ１３Ａ、１３Ｂの内部構成を示すブロック図である。
【図３】ラッチ番号昇順で画素データの取り込みを行う場合におけるソースドライバ１３の内部動作の一例を示すタイムチャートである。
【図４】ラッチ番号降順で画素データの取り込みを行う場合におけるソースドライバ１３の内部動作の一例を示すタイムチャートである。
【図５】設定データ取得制御部１３０の内部構成を示すブロック図である。
【図６】設定データメモリ１４からの設定データの取り込み動作を示すタイムチャートである。
【図７】ソースドライバ１３Ａ、１３Ｂ及び設定データメモリ１４の接続形態を示す図である。
【図８】設定データメモリ１４に対する設定データの書き込み動作を示すタイムチャートである。
【発明を実施するための形態】
【００１７】
図１は、本発明に係る表示パネルドライバを含む表示装置の概略構成を示すブロック図である。
【００１８】
図１に示すように、かかる表示装置は、表示パネル１０、駆動制御部１１、走査ドライバ１２、ソースドライバ１３Ａ、１３Ｂ及び設定データメモリ１４を含む。ソースドライバ１３Ａ内には駆動制御部１１Ａ及び駆動部１５Ａが内蔵されており、ソースドライバ１３Ｂ内には、駆動制御部１１Ｂ及び駆動部１５Ｂが内蔵されている。尚、図１に示す一例では、走査ドライバ１２をソースドライバ１３Ａ及び１３Ｂとは別に設けるようにしているが、ソースドライバ１３Ａ又は１３Ｂ内に走査ドライバ１２を内蔵させるようにしても良い。
【００１９】
表示パネル１０は、プラズマディスプレイパネル、液晶パネル、有機ＥＬパネル等からなる２次元画像表示用の表示パネルである。表示パネル１０には、夫々が２次元画面の水平方向に伸張するｎ本（ｎは２以上の整数）の走査ラインＣ１〜Ｃｎと、夫々が２次元画面の垂直方向に伸張する２ｍ本（ｍは１以上の整数）のソースラインＳ１〜Ｓ２ｍとが設けられており、走査ライン及びソースラインの各交叉部の領域（破線に囲まれた領域）に画素を担う表示セルが形成されている。
【００２０】
駆動制御部１１Ａ及び１１Ｂは、入力映像信号に応じて走査ラインＣ１〜Ｃｎ各々に走査パルスを順次印加させるべき走査制御信号を生成し、これを走査ドライバ１２に供給する。走査ドライバ１２は、かかる走査制御信号に応じたタイミングで走査パルスを生成し、これを表示パネル１０の走査ラインＣ１〜Ｃｎ各々に順次択一的に印加する。
【００２１】
また、駆動制御部１１Ａ及び１１Ｂは、入力映像信号に同期したスキャンクロック信号ＳＣＬＫ及びスタートパルス信号ＳＴ（後述する）等の各種制御信号を生成してソースドライバ１３Ａ及び１３Ｂ内の駆動部１５Ａ及び１５Ｂに供給する。更に、駆動制御部１１Ａ及び１１Ｂは、かかる入力映像信号に基づき各画素毎の輝度レベルを表す画素データＰＤを生成し、これを１表示ライン分（２ｍ個）ずつ、シリアル形態にて駆動部１５Ａ及び１５Ｂの各々に供給する。すなわち、駆動制御部１１Ａは、入力映像信号に基づき１表示ラインの前半に対応した画素データＰＤの系列からなる画素データＰＤ１、ＰＤ２、ＰＤ３、・・・、ＰＤｍを生成し、順次駆動部１５Ａに供給する。また、駆動制御部１１Ｂは、入力映像信号に基づき１表示ラインの後半に対応した画素データＰＤの系列からなる画素データＰＤｍ＋１、ＰＤｍ＋２、ＰＤｍ＋３、・・・、ＰＤ２ｍを生成し、順次駆動部１５Ｂに供給する。
【００２２】
尚、夫々が表示パネルドライバとしてのソースドライバ１３Ａ及び１３Ｂは、互いに同一の内部構成を有し、夫々異なる半導体ＩＣチップに構築されている。
【００２３】
ソースドライバ１３Ａの駆動部１５Ａは、上記した画素データＰＤ１〜ＰＤ２ｍの内のＰＤ１〜ＰＤｍの各々を順次取り込むｍ個のラッチ（後述する）を有する。駆動部１５Ａは、各ラッチに取り込まれた画素データＰＤ１〜ＰＤｍの各々が示す輝度レベルに対応した階調電圧をピーク値とする駆動パルスＧＰ１〜ＧＰｍを生成し、夫々を出力端子Ｄ１〜Ｄｍを介してチップ外部に出力する。ソースドライバ１３Ａの出力端子Ｄ１〜Ｄｍは、表示パネル１０のソースラインＳ１〜Ｓｍに夫々接続されている。よって、ソースドライバ１３Ａにおいて生成された上記駆動パルスＧＰ１〜ＧＰｍは、出力端子Ｄ１〜Ｄｍを介してソースラインＳ１〜Ｓｍに印加される。
【００２４】
ソースドライバ１３Ｂの駆動部１５Ｂは、上記した画素データＰＤ１〜ＰＤ２ｍの内のＰＤｍ＋１〜ＰＤ２ｍの各々を順次取り込むｍ個のラッチ（後述する）を有する。駆動部１５Ｂは、各ラッチに取り込まれた画素データＰＤｍ＋１〜ＰＤ２ｍの各々が示す輝度レベルに対応した階調電圧をピーク値とする駆動パルスＧＰｍ＋１〜ＧＰ２ｍを生成し、夫々を出力端子Ｄ１〜Ｄｍを介してチップ外部に出力する。ソースドライバ１３Ｂの出力端子Ｄ１〜Ｄｍは、表示パネル１０のソースラインＳｍ＋１〜Ｓ２ｍに夫々接続されている。よって、ソースドライバ１３Ｂにおいて生成された上記駆動パルスＧＰｍ＋１〜ＧＰ２ｍは、出力端子Ｄ１〜Ｄｍを介してソースラインＳｍ＋１〜Ｓ２ｍに印加される。
【００２５】
設定データメモリ１４は、例えばＥＥＰＲＯＭの如き不揮発性メモリであり、ソースドライバ１３Ａ及び１３Ｂの設定、つまりシステムの仕様に合わせた動作を指定する為の設定データとして、先頭ラッチ指定データＤＬＨ、後尾ラッチ指定データＤＬＴ及びスキャン方向指定データＤＳＣＮが予め記憶されている。尚、先頭ラッチ指定データＤＬＨとは、ソースドライバ１３Ａ及び１３Ｂに搭載されているデータラッチ部内において、表示ラインの先頭の画素データＰＤの取り込みを担うべきラッチの番号を示すデータである。また、後尾ラッチ指定データＤＬＴとは、かかるデータラッチ部内において、表示ラインの最後尾の画素データＰＤの取り込みを担うべきラッチの番号を示すデータである。また、スキャン方向指定データＤＳＣＮとは、このデータラッチ部内において画素データ片の取り込み対象となるラッチを、ラッチ番号昇順及びラッチ番号降順の内のいずれのスキャン方向で順次択一的に選択して行くのかを指定するデータである。例えば、データラッチ部内においてラッチ番号の昇順に画素データ片を各ラッチに取り込ませる場合には論理レベル０、ラッチ番号の降順に画素データ片を各ラッチに取り込ませる場合には論理レベル１のスキャン方向指定データＤＳＣＮを、設定データメモリ１４に記憶させておく。
【００２６】
設定データメモリ１４は、ソースドライバ１３Ａ及び１３Ｂ各々に対応した先頭ラッチ指定データＤＬＨ、後尾ラッチ指定データＤＬＴ及びスキャン方向指定データＤＳＣＮを、ソースドライバ１３Ａから供給されたメモリアクセス信号ＢＤＡＯ（後述する）に応じてシリアル形態にて読み出す。この際、設定データメモリ１４は、これらＤＬＨ、ＤＬＴ及びＤＳＣＮをシリアル形態で表す設定データ信号ＢＤＡＩをソースドライバ１３Ａ及び１３Ｂに供給する。また、設定データメモリ１４は、ソースドライバ１３Ａから供給されたメモリアクセス信号ＢＤＡＯに応じて、設定すべき先頭ラッチ指定データＤＬＨ、後尾ラッチ指定データＤＬＴ及びスキャン方向指定データＤＳＣＮ各々の書き込みを行う。
【００２７】
図２は、ソースドライバ１３Ａ及び１３Ｂの内部構成を示すブロック図である。
【００２８】
図２に示すように、ソースドライバ１３Ａ及び１３Ｂの各々は、設定データ取得制御部１３０、ラッチ選択カウンタ１３１、ラッチイネーブル生成部１３２、データラッチ部１３３及び駆動パルス出力部１３４を含む。
【００２９】
設定データ取得制御部１３０は、設定データメモリ１４から読み出された設定データ信号ＢＤＡＩを、ソースドライバ（１３Ａ、１３Ｂ）に設けられている入力端子Ｔ１を介して取り込んで保持する。そして、設定データ取得制御部１３０は、設定データ信号ＢＤＡＩから、先頭ラッチ指定データＤＬＨ、後尾ラッチ指定データＤＬＴ及びスキャン方向指定データＤＳＣＮを抽出して読み出し、これらをラッチ選択カウンタ１３１に供給する。
【００３０】
また、設定データ取得制御部１３０は、ソースドライバ（１３Ａ、１３Ｂ）に設けられている入力端子Ｔ０を介して外部から供給されたマスタスレイブ指定信号ＭＳＣがマスタ側を示す場合には、電源投入後の所定のタイミングに応じて、設定データメモリ１４をアクセスする為のメモリアクセス信号ＢＤＡＯ（後述する）を生成し、これをソースドライバ（１３Ａ、１３Ｂ）に設けられている双方向端子Ｔ２を介してチップ外部に出力する。一方、マスタスレイブ指定信号ＭＳＣがスレイブ側を示す場合には、設定データ取得制御部１３０は、メモリアクセス信号ＢＤＡＯを双方向端子Ｔ２を介してチップ外部から取り込む。
【００３１】
更に、設定データ取得制御部１３０は、マスタスレイブ指定信号ＭＳＣがマスタ側を示す場合には、電源投入後の所定のタイミングに応じてチップセレクト信号ＢＲＳＴ及びクロック信号ＢＣＫ（後述する）を生成し、これらをソースドライバ（１３Ａ、１３Ｂ）に設けられている双方向端子Ｔ３及びＴ４を介してチップ外部に出力する。一方、かかるマスタスレイブ指定信号ＭＳＣがスレイブ側を示す場合には、設定データ取得制御部１３０は、これらＢＲＳＴ及びＢＣＫを、上記した双方向端子Ｔ３及びＴ４を介してチップ外部から取り込む。
【００３２】
ラッチ選択カウンタ１３１は、アップダウンカウンタ１３１１及び比較器１３１２からなる。
【００３３】
アップダウンカウンタ１３１１は、駆動制御部１１から供給されたスタートパルス信号ＳＴに応じて、先頭ラッチ指定データＤＬＨにて示されるラッチ番号をカウント初期値として取り込む。ここで、アップダウンカウンタ１３１１は、スキャン方向指定データＤＳＣＮがラッチ番号の昇順を示す場合にはアップカウンタとして動作し、上記カウント初期値からその値を、スキャンクロック信号ＳＣＬＫのパルス毎にアップカウントして行く。一方、アップダウンカウンタ１３１１は、スキャン方向指定データＤＳＣＮがラッチ番号の降順を示す場合にはダウンカウンタとして動作し、上記カウント初期値からその値を、スキャンクロック信号ＳＣＬＫのパルス毎にダウンカウントして行く。この際、アップダウンカウンタ１３１１は、現在のカウント値をラッチ選択値ＬＳとして比較器１３１２に供給する。比較器１３１２は、後尾ラッチ指定データＤＬＴにて示されるラッチ番号の値と、ラッチ選択値ＬＳとが等しい場合に限り、カウント値をゼロにリセットさせるリセット信号ＲＳを生成しこれをアップダウンカウンタ１３１１に供給する。かかるリセット信号ＲＳに応じて、アップダウンカウンタ１３１１は、現在のカウント値をゼロにリセットしてそのカウント動作を停止する。
【００３４】
このように、アップダウンカウンタ１３１１は、先ず、スタートパルス信号ＳＴに応じて、先頭ラッチ指定データＤＬＨにて示されるラッチ番号をカウント初期値として取り込む。そして、アップダウンカウンタ１３１１は、そのカウント初期値を、スキャン方向指定データＤＳＣＮに従ってアップカウント又はダウンカウントして得られたカウント値をラッチ選択値ＬＳとして次段のラッチイネーブル生成部１３２に供給するのである。
【００３５】
ラッチイネーブル生成部１３２は、ラッチ選択値ＬＳに基づき、ラッチイネーブル信号Ｅ１〜Ｅｍの内の１つだけをラッチイネーブルを示す論理レベル１、その他をラッチディスエーブルを示す論理レベル０としたラッチイネーブル信号Ｅ１〜Ｅｍを生成するデコーダからなる。
【００３６】
例えば、ラッチイネーブル生成部１３２は、ラッチ選択値ＬＳがラッチ番号"１"を示す場合には、ラッチイネーブル信号Ｅ１〜Ｅｍの内のＥ１だけを論理レベル１、その他は全て論理レベル０となるラッチイネーブル信号Ｅ１〜Ｅｍを生成する。また、ラッチ選択値ＬＳがラッチ番号"２"を示す場合には、ラッチイネーブル生成部１３２は、ラッチイネーブル信号Ｅ１〜Ｅｍの内のＥ２だけを論理レベル１、その他は全て論理レベル０となるラッチイネーブル信号Ｅ１〜Ｅｍを生成する。また、ラッチ選択値ＬＳがラッチ番号"３"を示す場合には、ラッチイネーブル生成部１３２は、ラッチイネーブル信号Ｅ１〜Ｅｍの内のＥ３だけを論理レベル１、その他は全て論理レベル０となるラッチイネーブル信号Ｅ１〜Ｅｍを生成する。また、ラッチ選択値ＬＳがラッチ番号"ｍ"を示す場合には、ラッチイネーブル生成部１３２は、ラッチイネーブル信号Ｅ１〜Ｅｍの内のＥｍだけを論理レベル１、その他は全て論理レベル０となるラッチイネーブル信号Ｅ１〜Ｅｍを生成する。
【００３７】
ラッチイネーブル生成部１３２は、上記したラッチイネーブル信号Ｅ１〜Ｅｍをデータラッチ部１３３に供給する。
【００３８】
データラッチ部１３３は、ラッチ番号"１"〜"ｍ"が割り当てられているｍ個のラッチ１３３１〜１３３ｍからなり、夫々のイネーブル端子ＥＮに、上記したラッチイネーブル信号Ｅ１〜Ｅｍが夫々供給されている。また、ラッチ１３３１〜１３３ｍ各々のデータ入力端子Ｉには上記した画素データＰＤが共通に供給されおり、且つラッチ１３３１〜１３３ｍ各々のクロック入力端子には上記したスキャンクロック信号ＳＣＬＫが共通に供給されている。この際、ラッチ１３３１〜１３３ｍの内で、そのイネーブル端子ＥＮに論理レベル１のラッチイネーブル信号Ｅが供給された１つのラッチ１３３のみがスキャンクロック信号ＳＣＬＫに応じて画素データＰＤを取り込み、これを保持する。
【００３９】
かかる構成により、ラッチ１３３１〜１３３ｍは、駆動制御部１１から供給された画素データＰＤを、ラッチイネーブル生成部１３２から供給されたラッチイネーブル信号Ｅ１〜Ｅｍに応じて個別に取り込んでこれを保持する。そして、ラッチ１３３１〜１３３ｍは、夫々に保持された画素データを画素データＰＰＤ１〜ＰＰＤｍとして駆動パルス出力部１３４に供給する。
【００４０】
駆動パルス出力部１３４は、画素データＰＰＤ１〜ＰＰＤｍの各々を個別に、その画素データＰＰＤにて示される輝度レベルに対応したピーク電圧を有する駆動パルスＧＰに変換し、各画素データＰＰＤ１〜ＰＰＤｍに対応した駆動パルスＧＰ１〜ＧＰｍの各々を、出力端子Ｄ１〜Ｄｍを介して出力する。
【００４１】
以下に、上記したラッチ選択カウンタ１３１、ラッチイネーブル生成部１３２、データラッチ部１３３の動作について説明する。
【００４２】
先ず、出力端子Ｄ１〜Ｄｍ各々に対応したラッチ１３３１〜１３３ｍに対して、ラッチ番号の昇順、つまり、ラッチ１３３１、１３３２、１３３３、・・・、１３３ｍ−１、１３３ｍの順に画素データを取り込ませる場合には、以下の如き先頭ラッチ指定データＤＬＨ、後尾ラッチ指定データＤＬＴ及びスキャン方向指定データＤＳＣＮを設定データメモリ１４に予め書き込んでおく。
【００４３】
ＤＬＨ："１"
ＤＬＴ："ｍ"
ＤＳＣＮ："０"
すなわち、表示ラインの先頭の画素データ片の取り込みを担うラッチのラッチ番号"１"を示す先頭ラッチ指定データＤＬＨ、表示ラインの最後尾の画素データ片の取り込みを担うラッチのラッチ番号"ｍ"を示す後尾ラッチ指定データＤＬＴを、設定データメモリ１４に書き込んでおく。更に、ラッチ番号の昇順に画素データ片の取り込みを行うことを示す論理レベル０のスキャン方向指定データＤＳＣＮを設定データメモリ１４に書き込んでおく。
【００４４】
これにより、アップダウンカウンタ１３１１は、図３に示す如く、スタートパルス信号ＳＴに応じて、カウント初期値として先頭ラッチ指定データＤＬＨにて示される値"１"を取り込み、その値をラッチ選択値ＬＳとしてラッチイネーブル生成部１３２に供給する。ラッチイネーブル生成部１３２は、このラッチ選択値ＬＳにて示される値"１"に応じて、図３に示すように、先ず、論理レベル１のラッチイネーブル信号Ｅ１をラッチ１３３１に供給する。この際、ラッチ１３３１は、画素データＰＤの値を取り込み、これを画素データＰＰＤ１として出力する。ここで、スキャン方向指定データＤＳＣＮが"０"であることから、アップダウンカウンタ１３１１はアップカウンタとして動作する。従って、スキャンクロック信号ＳＣＬＫの立ち上がりエッジ毎に、アップダウンカウンタ１３１１のカウント値、つまりラッチ選択値ＬＳが図３に示すように"１"ずつ増加して行く。これにより、ラッチイネーブル生成部１３２は、ラッチ選択値ＬＳの値に応じて、図３に示す如く、順次択一的に論理レベル１となるラッチイネーブル信号Ｅ２、Ｅ３、・・・、Ｅｍ−１、Ｅｍをラッチ１３３２、１３３３、１３３４、・・・、１３３ｍ−１、１３３ｍに供給する。この際、ラッチ１３３２〜１３３ｍの各々は、図３に示す如く夫々に供給されたラッチイネーブル信号Ｅ２〜Ｅｍのタイミングで画素データＰＤの値を順に取り込み、夫々を画素データＰＰＤ２〜ＰＰＤｍとして出力する。ここで、アップダウンカウンタ１３１１のカウント値が、後尾ラッチ指定データＤＬＴにて示される値"ｍ"と等しくなると、比較器１３１２によってリセット信号ＲＳが生成され、アップダウンカウンタ１３１１のカウント値、つまりラッチ選択値ＬＳが"０"にリセットされる。従って、論理レベル１のラッチイネーブル信号Ｅｍがラッチ１３３ｍに供給された以降、論理レベル１のラッチイネーブル信号Ｅｍ＋１〜Ｅｋの生成は為されず、それ故、ラッチ１３３ｍ＋１〜１３３ｋの取り込み動作も為されない。
【００４５】
一方、上記したラッチ１３３１〜１３３ｍに対して、ラッチ番号の降順、つまり、ラッチ１３３ｍ、１３３ｍ−１、・・・、１３３３、１３３２、１３３１の順に画素データを取り込ませる場合には、以下の如き先頭ラッチ指定データＤＬＨ、後尾ラッチ指定データＤＬＴ及びスキャン方向指定データＤＳＣＮを設定データメモリ１４に予め書き込んでおく。
【００４６】
ＤＬＨ："ｍ"
ＤＬＴ："１"
ＤＳＣＮ："１"
すなわち、表示ラインの先頭の画素データ片の取り込みを担うラッチのラッチ番号"ｍ"を示す先頭ラッチ指定データＤＬＨ、表示ラインの最後尾の画素データ片の取り込みを担うラッチのラッチ番号"１"を示す後尾ラッチ指定データＤＬＴを、設定データメモリ１４に書き込んでおく。更に、ラッチ番号の降順に画素データ片の取り込みを行うことを示す論理レベル１のスキャン方向指定データＤＳＣＮを設定データメモリ１４に書き込んでおく。
【００４７】
これにより、アップダウンカウンタ１３１１は、図４に示す如く、スタートパルス信号ＳＴに応じて、カウント初期値として先頭ラッチ指定データＤＬＨにて示される値"ｍ"を取り込み、その値をラッチ選択値ＬＳとしてラッチイネーブル生成部１３２に供給する。ラッチイネーブル生成部１３２は、このラッチ選択値ＬＳにて示される値"ｍ"に応じて、図４に示すように、先ず、論理レベル１のラッチイネーブル信号Ｅｍをラッチ１３３ｍに供給する。この際、ラッチ１３３ｍは、画素データＰＤの値を取り込み、これを画素データＰＰＤｍとして出力する。ここで、スキャン方向指定データＤＳＣＮが"１"であることから、アップダウンカウンタ１３１１はダウンカウンタとして動作する。従って、スキャンクロック信号ＳＣＬＫの立ち上がりエッジ毎に、アップダウンカウンタ１３１１のカウント値、つまりラッチ選択値ＬＳが図４に示すように"１"ずつ減少して行く。これにより、ラッチイネーブル生成部１３２は、ラッチ選択値ＬＳの値に応じて、図４に示す如く、順次択一的に論理レベル１となるラッチイネーブル信号Ｅｍ、Ｅｍ−１、・・・、Ｅ２、Ｅ１を、ラッチ１３３ｍ、１３３ｍ−１、・・・、１３３２、１３３１に供給する。この際、１３３ｍ−１〜１３３１の各々は、図４に示す如く夫々に供給されたラッチイネーブル信号Ｅｍ−１〜Ｅ１のタイミングで画素データＰＤの値を順に取り込み、夫々を画素データＰＰＤｍ−１〜ＰＰＤ１として出力する。ここで、アップダウンカウンタ１３１１のカウント値が、後尾ラッチ指定データＤＬＴにて示される値"１"と等しくなると、比較器１３１２によってリセット信号ＲＳが生成され、アップダウンカウンタ１３１１のカウント値、つまりラッチ選択値ＬＳが"０"にリセットされる。
【００４８】
このように、データラッチ部１３３は、設定データメモリ１４に記憶されている設定データ（ＤＬＨ、ＤＬＴ、ＤＳＣＮ）によって設定された画素データのスキャン方向に沿って、先頭ラッチから後尾ラッチに向けて順次画素データＰＤの取込を行う。
【００４９】
次に、設定データ取得制御部１３０による、設定データメモリ１４からの設定データ（ＤＬＨ、ＤＬＴ及びＤＳＣＮ）の取り込み動作について説明する。
【００５０】
図５は、設定データ取得制御部１３０の内部構成を示すブロック図である。
【００５１】
図５に示すように、設定データ取得制御部１３０は、チップセレクト生成回路１３０１、クロック生成回路１３０２、取込制御回路１３０３、データレジスタ１３０４及びメモリ制御回路１３０５を含む。
【００５２】
チップセレクト生成回路１３０１は、マスタスレイブ指定信号ＭＳＣがマスタ側を示す論理レベル１である場合には、電源投入後の所定のタイミング、つまり図６に示す如き設定開始のタイミングに応じて期間ＩＰの間だけ論理レベル０の状態となるチップセレクト信号ＢＲＳＴを生成し、これをラインＬａ及び双方向端子Ｔ４を介してチップ外部に出力する。更に、チップセレクト生成回路１３０１は、かかるチップセレクト信号ＢＲＳＴを、ラインＬａを介してクロック生成回路１３０２、取込制御回路１３０３、及びメモリ制御回路１３０５の各々にも供給する。尚、チップセレクト生成回路１３０１は、マスタスレイブ指定信号ＭＳＣがスレイブ側を示す論理レベル０である場合には、上記したチップセレクト信号ＢＲＳＴの生成動作を行わず、この間、ラインＬａ及び双方向端子Ｔ４を入力端子として動作させる状態に設定する。
【００５３】
クロック生成回路１３０２は、マスタスレイブ指定信号ＭＳＣがマスタ側を示す論理レベル１である場合に限り、ラインＬａを介して供給されたチップセレクト信号ＢＲＳＴが論理レベル０の状態にある間に亘り、図６に示す如き３２個分のクロックパルスを含むクロック信号ＢＣＫを生成し、これをラインＬｂ及び双方向端子Ｔ３を介してチップ外部に出力する。更に、クロック生成回路１３０２は、かかるクロック信号ＢＣＫを、ラインＬｂを介して取込制御回路１３０３、データレジスタ１３０４及びメモリ制御回路１３０５の各々にも供給する。尚、クロック生成回路１３０２は、マスタスレイブ指定信号ＭＳＣがスレイブ側を示す論理レベル０である場合には、上記クロック信号ＢＣＫの生成動作は行わず、この間、ラインＬｂ及び双方向端子Ｔ３を入力端子として動作させる状態に設定する。
【００５４】
取込制御回路１３０３は、チップセレクト信号ＢＲＳＴが論理レベル１から論理レベル０の状態に遷移すると、先ず、メモリアクセス信号ＢＤＡＯ中に含まれるオペレーションコードＣ１〜Ｃ７（後述する）が読出命令を示すか否かを判定する。ここで、取込制御回路１３０３は、オペレーションコードが読出命令を示す場合にだけ、図６に示す如く、クロック信号ＢＣＫによるクロックパルス数が２４個に到ったタイミングで論理レベル０から論理レベル１の状態に遷移し、且つ８クロックパルス分の周期だけその状態を維持する取込イネーブル信号ＥＮをデータレジスタ１３０４に供給する。一方、上記オペレーションコードＣ１〜Ｃ７が読出命令を示していないと判定された場合、取込制御回路１３０３は、論理レベル０の状態を維持する取込イネーブル信号ＥＮをデータレジスタ１３０４に供給する。ただし、チップセレクト信号ＢＲＳＴが論理レベル１から論理レベル０の状態に遷移した場合の動作として、読出命令であると固定して使用する場合には、メモリアクセス信号ＢＤＡＯを入力しない状態でチップセレクト信号ＢＲＳＴの論理レベル０の状態を検知することで、取込イネーブル信号ＥＮを生成させることも可能である。
【００５５】
データレジスタ１３０４は、取込イネーブル信号ＥＮが論理レベル１の状態にある間に亘り、設定データメモリ１４から読み出されたシリアル形態の設定データ信号ＢＤＡＩを入力端子Ｔ１及びラインＬ１を介して受け、これをクロック信号ＢＣＫに同期させて順次取り込む。そして、データレジスタ１３０４は、取り込んだ設定データ信号ＢＤＡＩに含まれる先頭ラッチ指定データＤＬＨ、後尾ラッチ指定データＤＬＴ及びスキャン方向指定データＤＳＣＮを、ラッチ選択カウンタ１３１に供給する。なお、前述した如き電源投入後の所定のタイミング、つまり設定データメモリ１４に格納されている設定データ（ＤＬＨ、ＤＬＴ、ＤＳＣＮ）をデータレジスタ１３０４へ反映させる設定動作の実行機会は、例えば、電源立ち上げ後の所定期間内での少なくとも１回である。また、電源立ち上げ後、かかる設定動作を定期的（例えば１秒に一度）に繰り返し実行するようにしても良い。尚、いずれの設定動作においても、電源立ち上げ後の電源が安定状態に到った後に実施するのが望ましい。
【００５６】
メモリ制御部１３０５は、マスタスレイブ指定信号ＭＳＣがマスタ側を示す論理レベル１である場合に、チップセレクト信号ＢＲＳＴが論理レベル１から論理レベル０の状態に遷移すると、図６に示すように、先ず、読出命令を８ビットシリアルで表すオペレーションコードＣ１〜Ｃ８を含むメモリアクセス信号ＢＤＡＯをラインＬ２上に送出する。引き続き、メモリ制御部１３０５は、設定データ（ＤＬＨ、ＤＬＴ、ＤＳＣＮ）が記憶されている設定データメモリ１４内の番地を１６ビットシリアルで表すアドレスデータＡ１〜Ａ１６を含むメモリアクセス信号ＢＤＡＯをラインＬ２上に送出する。メモリ制御部１３０５は、かかるメモリアクセス信号ＢＤＡＯをラインＬ２を介して取込制御回路１３０３に供給しつつ、これを双方向端子Ｔ２を介してチップ外部に出力する。尚、メモリ制御部１３０５は、マスタスレイブ指定信号ＭＳＣがスレイブ側を示す論理レベル０である場合には、メモリアクセス信号ＢＤＡＯの送出動作を行わず、この間、ラインＬ２及び双方向端子Ｔ２を入力端子として動作させる状態に設定する。
【００５７】
図７は、ソースドライバ１３Ａ及び１３Ｂ各々内に設けられている設定データ取得制御部１３０を抜粋して、設定データ取得制御部１３０各々と設定データメモリ１４との接続形態を示す図である。
【００５８】
図７に示す一例では、ソースドライバ１３Ａの設定データ取得制御部１３０としての１３０ａには、マスタ側を示す論理レベル１のマスタスレイブ指定信号ＭＳＣが供給されており、ソースドライバ１３Ｂの設定データ取得制御部１３０としての１３０ｂには、スレイブ側を示す論理レベル０のマスタスレイブ指定信号ＭＳＣが供給されている。すなわち、ソースドライバ１３Ａが設定データ取り込みの為のマスタドライバ、ソースドライバ１３Ｂがスレイブドライバとなる。これにより、設定データ取得制御部１３０ａ及び１３０ｂの内の１３０ａのチップセレクト生成回路１３０１、クロック生成回路１３０２及びメモリ制御回路１３０５が上述した如き動作を実行する一方、１３０ｂのチップセレクト生成回路１３０１、クロック生成回路１３０２及びメモリ制御回路１３０５は動作停止状態となる。
【００５９】
また、図７に示すように、ソースドライバ１３Ａ及び１３Ｂ各々における、設定データ信号ＢＤＡＩの入力を担う入力端子Ｔ１は共にラインＬＬ１によって設定データメモリ１４のシリアル出力端子ＳＯに接続されている。また、ソースドライバ１３Ａ及び１３Ｂ各々における、上記したメモリアクセス信号ＢＤＡＯの入出力を担う双方向端子Ｔ２は共にラインＬＬ２によって設定データメモリ１４のシリアル入力端子ＳＩに接続されている。また、ソースドライバ１３Ａ及び１３Ｂ各々における、上記したクロック信号ＢＣＫの入出力を担う双方向端子Ｔ３は共にラインＬＬ３によって設定データメモリ１４のクロック端子ＣＫに接続されている。更に、ソースドライバ１３Ａ及び１３Ｂ各々における、チップセレクト信号ＢＲＳＴの入出力を担う双方向端子Ｔ４は共にラインＬＬ４によって設定データメモリ１４のチップセレクト端子ＣＳに接続されている。
【００６０】
ここで、設定データメモリ１４のデータをデータレジスタ１３０４へ反映させる処理を開始するにあたり、ソースドライバ１３Ａの設定データ取得制御部１３０ａが、図６に示す如きチップセレクト信号ＢＲＳＴ及びクロック信号ＢＣＫを、ソースドライバ１３Ｂの設定データ取得制御部１３０ｂ及び設定データメモリ１４に供給する。更に、設定データ取得制御部１３０ａは、図６に示す如き、読出命令を示すオペレーションコードＣ１〜Ｃ８及びアドレスデータＡ１〜Ａ１５を含むメモリアクセス信号ＢＤＡＯを、ソースドライバ１３Ｂの設定データ取得制御部１３０ｂ及び設定データメモリ１４に供給する。これにより、設定データメモリ１４は、アドレスデータＡ１〜Ａ１５によって示される番地に記憶されている設定データ（ＤＬＨ、ＤＬＴ、ＤＳＣＮ）を読み出す。そして、設定データメモリ１４は、かかる設定データ（ＤＬＨ、ＤＬＴ、ＤＳＣＮ）をシリアル形態で表す図６に示す如きデータＤＡ１〜ＤＡ８からなる設定データ信号ＢＤＡＩを、ソースドライバ１３Ａ及び１３Ｂの設定データ取得制御部１３０ａ及び１３０ｂに供給する。
【００６１】
尚、この間、設定データ取得制御部１３０ａで生成されたチップセレクト信号ＢＲＳＴは、自身の取込制御回路１３０３に供給されると共に、ソースドライバ１３Ｂの双方向端子Ｔ４及びラインＬａを介して設定データ取得制御部１３０ｂの取込制御回路１３０３に供給される。更に、設定データ取得制御部１３０ａが生成したクロック信号ＢＣＫは、自身の取込制御回路１３０３に供給されると共に、ソースドライバ１３Ｂの双方向端子Ｔ３を介して設定データ取得制御部１３０ｂの取込制御回路１３０３に供給される。
【００６２】
これにより、設定データ取得制御部１３０ａ及び１３０ｂ各々の取込制御回路１３０３は、図６に示す如き論理レベル１の取込イネーブル信号ＥＮをデータレジスタ１３０４に供給する。かかる取込イネーブル信号ＥＮに応じて、設定データ取得制御部１３０ａ及び１３０ｂ各々のデータレジスタ１３０４は、図６に示す如く設定データメモリ１４から読み出された設定データ信号ＢＤＡＩを取り込んでこれを記憶する。すなわち、設定データ信号ＢＤＡＩによって表される先頭ラッチ指定データＤＬＨ、後尾ラッチ指定データＤＬＴ及びスキャン方向指定データＤＳＣＮが、設定データ取得制御部１３０ａ及び１３０ｂ各々のデータレジスタ１３０４に同時に取り込まれるのである。
【００６３】
従って、設定データメモリ１４に格納されている設定データ（ＤＬＨ、ＤＬＴ、ＤＳＣＮ）がソースドライバ１３Ａ及び１３Ｂ各々のデータレジスタ１３０４に同時に保持され、かかる設定データに従った設定が為される。この際、電源投入後の最初の設定は、初期設定としての設定データがデータレジスタ１３０４に取り込まれる。
【００６４】
尚、設定データ取得制御部１３０ａのメモリ制御回路１３０５は、上述した如き、設定データメモリ１４から設定データ（ＤＬＨ、ＤＬＴ、ＤＳＣＮ）を読み出すべき読出制御の他に、設定データメモリ１４に対して設定データを書き込ませるべき書込制御を行うことも可能である。
【００６５】
ここで、設定データを設定データメモリ１４に書き込む場合、設定データ取得制御部１３０ａのチップセレクト生成回路１３０１及びクロック生成回路１３０２は、図８に示す如きチップセレクト信号ＢＲＳＴ及びクロック信号ＢＣＫを生成し、これらを設定データ取得制御部１３０ｂ及び設定データメモリ１４に供給する。更に、設定データ取得制御部１３０ａのメモリ制御回路１３０５は、図８に示す如き、書込命令を示すオペレーションコードＣ１〜Ｃ８、書込番地を示すアドレスデータＡ１〜Ａ１６、書込用の設定デーダ（ＤＬＨ、ＤＬＴ、ＤＳＣＮ）を表すデータＤＢ１〜ＤＢ８を含むメモリアクセス信号ＢＤＡＯを、設定データメモリ１４及びソースドライバ１３Ｂに供給する。かかるメモリアクセス信号ＢＤＡＯに応じて、設定データメモリ１４は、上記したアドレスデータＡ１〜Ａ１６に示される番地に、書込用の設定デーダ（ＤＬＨ、ＤＬＴ、ＤＳＣＮ）を表すデータＤＢ１〜ＤＢ８を書き込む。
【００６６】
この際、かかるメモリアクセス信号ＢＤＡＯは、ラインＬ２を介して設定データ取得制御部１３０ａの取込制御回路１３０３に供給されると共に、双方向端子Ｔ２を介して設定データ取得制御部１３０ｂの取込制御回路１３０３にも供給される。よって、取込制御回路１３０３は、図８に示す如きチップセレクト信号ＢＲＳＴ及びクロック信号ＢＣＫが供給されているものの、メモリアクセス信号ＢＤＡＯに含まれるオペレーションコードＣ１〜Ｃ８が書込命令であることから、書込ディスエーブルを示す論理レベル０の取込イネーブル信号ＥＮをデータレジスタ１３０４に供給する。これにより、設定データメモリ１４に対するデータ書込時において、設定データ取得制御部１３０ａ及び１３０ｂ各々のデータレジスタ１３０４が、誤ってデータの取り込みを行ってしまうという誤動作が防止される。ただし、設定データをスレイブドライバへ即座に反映させたい場合などは、設定データ取得制御部１３０ｂの取込制御回路１３０３が、読出と書込双方で取込イネーブル信号ＥＮを論理レベル１の状態に遷移させることも可能である。
【００６７】
尚、上記実施例では、表示パネル１０に形成されている複数のソースラインＳを２つのライン群（Ｓ１〜Ｓｍ、Ｓｍ＋１〜Ｓ２ｍ）に分け、各ライン群を２つのソースドライバ（１３Ａ、１３Ｂ）で駆動するようにしているが、ソースドライバ１３の数は２つに限定されるものではなく、３つ以上であっても構わない。この際、ｔ個（ｔは２以上の整数）のソースドライバの内の１つをマスタドライバ、他のソースドライバを全てスレイブドライバに設定すべく、夫々に対応したマスタスレイブ指定信号ＭＳＣを予め各ソースドライバに供給しておく。
【００６８】
要するに、本発明に係る表示パネルドライバの設定方法は、複数の表示パネルドライバ（１３Ａ、１３Ｂ）を仕様に合わせた状態に設定するにあたり、その仕様に基づく設定データ（ＤＬＨ、ＤＬＴ、ＤＳＣＮ）をメモリ（１４）に記憶しておく。この際、複数の表示パネルドライバの内の１の表示パネルドライバ（１３Ａ）は、この設定データが読み出し状態となったことを示す第１信号（メモリアクセス信号ＢＤＡＯ又はチップセレクト信号ＢＲＳＴ）を、メモリと共に他の表示パネルドライバ（１３Ｂ）に供給する。かかる第１信号（ＢＤＡＯ、ＢＲＳＴ）に応じて、メモリは、設定データを第１ライン（ＬＬ１）に読み出す。この際、上記１の表示パネルドライバ（１３Ａ）は、この第１ライン上に読み出された設定データを取り込み（１３０３、１３０４）、当該設定データに基づく設定を行う。一方、他の表示パネルドライバ（１３Ｂ）は、上記１の表示パネルドライバ（１３Ａ）から供給された第１信号（ＢＤＡＯ、ＢＲＳＴ）に応じて、第１ライン上から設定データを取り込み（１３０３、１３０４）、当該設定データに基づく設定を行う。
【００６９】
また、本発明に係る表示パネルドライバは、メモリ（１４）に記憶されている設定データ（ＤＬＨ、ＤＬＴ、ＤＳＣＮ）が読み出し状態となったことを示す第１信号（ＢＤＡＯ、ＢＲＳＴ）を、双方向端子（Ｔ２）を介して出力するメモリ制御回路（１３０５）と、この第１信号又は双方向端子（Ｔ２）を介して外部から入力された第１信号に応じて取込イネーブル信号（ＥＮ）を生成する取込制御回路（１３０３）と、メモリ（１４）から読み出された設定データを上記取込イネーブル信号に応じて取り込むレジスタ（１３０４）と、を有する。
【００７０】
また、本発明に係る表示装置は、映像信号に応じた画像を表示する表示パネル（１０）と、表示パネルを駆動する複数の表示パネルドライバ（１３Ａ、１３Ｂ）と、設定データ（ＤＬＨ、ＤＬＴ、ＤＳＣＮ）が記憶されているメモリ（１４）と、を有する。尚、表示パネルドライバの各々は、上記したメモリ制御回路（１３０５）と、取込制御回路（１３０３）と、レジスタ（１３０４）と、を有する。この際、メモリ（１４）の出力端子（ＳＯ）が第１ライン（ＬＬ１）によって表示パネルドライバ各々の入力端子（Ｔ１）に接続されており、表示パネルドライバ各々の双方向端子（Ｔ２）及びメモリが第２ライン（ＬＬ２）によって接続されている。
【００７１】
よって、上記構成によれば、１の表示パネルドライバ（１３Ａ）から発せられた第１信号（ＢＤＡＯ、ＢＲＳＴ）に応じて、メモリ（１４）から設定データ（ＤＬＨ、ＤＬＴ、ＤＳＣＮ）が第１ライン（ＬＬ１）に読み出されると共に、上記１の表示パネルドライバ（１３Ａ）及び他の表示パネルドライバ（１３Ｂ）が、この第１ライン上に読み出された設定データを同時に取り込むことになる。
【００７２】
従って、本発明によれば、メモリから読み出された設定データを、カスケード配線を介して直列に接続されている表示パネルドライバ各々に順に中継供給するものに比して、迅速に設定動作を終了させることが可能となる。
【符号の説明】
【００７３】
１３Ａ、１３Ｂ  ソースドライバ
１４            設定データメモリ
１３０          設定データ取得制御部
【図１】
2014085630.tif 000003
【図２】
2014085630.tif 000004
【図３】
2014085630.tif 000005
【図４】
2014085630.tif 000006
【図５】
2014085630.tif 000007
【図６】
2014085630.tif 000008
【図７】
2014085630.tif 000009
【図８】
2014085630.tif 000010